(57)【要約】      （修正有）【課題】食材を調理容器に水切りと同時に移し替えることができ、食材を集めたり又スライドさせたりして、まな板の水切りをする事が出来る食材水切り入れ容器を提供する。【解決手段】底に食材の水切りが出来る穴があけてある食材水切り容器と先にアクリル製の柔らかい１センチ程を継ぎ足し、切った食材を集めやすくするためのプラスチック製のヘラから構成される。【選択図】図１
0003154015.tif 000002
【実用新案登録請求の範囲】
【請求項１】
容器に入れた食材を調理用具にいれることを特徴とした「食材切り入れ容器」
【考案の詳細な説明】
【技術分野】
【０００１】
本考案は、調理の場合に使用する「食材切り入れ容器」に関するものである。
【背景技術】
【０００２】
従来は、食材を包丁とか手作業で調理用具にいれる事もあった。
【０００３】
この改善策として、包丁とか直接手で触れる事のないように「食材切り入れ容器」を提案する。
【考案の開示】
【考案が解決しようとする課題】
【０００４】
食材を包丁とか手で直接触れる事のないことが出来る「食材切り入れ容器」を提案する。
【課題を解決するための手段】
【０００５】
１、プラスティックとゴムを素材とする。
２、その素材をもとに、食材を集める部分「専用ヘラ」と、集めた食材を受け入れる容器とにより構成された「食材切り入れ容器」とする。
３、まな板の上で切った食材を「専用ヘラ」で集め「食材切り入れ容器」に移し変え、直接調理器具に入れることができる。
請求項１記載の容器は、「食材切り入れ容器」並びに「専用ヘラ」で構成される
【考案の効果】
【０００６】
１、食材をはやく調理器具に入れることができる。
２、食材の匂いが手に付かない。
３、包丁ですくう場合は、手を切る場合がある。
４、一度に多くすくう事が出来る。
５、まな板の水を、ゴムの水切りで落とすので、カビの発生をふせぐことができで、衛生的である。
６、「食材切り入れ容器」の底には、食材の水切りが出来る穴があけてある。
７、その他、必要とする場合この容器を活用することが出来る。
【考案を実施するための最良の形態】
【０００７】
本考案の「食材切り入れ容器」を使用する場合は、「専用ヘラ」により集めた「食材切り入れ容器」を使用する。食材を「専用ヘラ」により収集し、「食材切り入れ容器」に入れそのまま調理器具に移す
【図面の簡単な説明】
【０００８】
【図１】本考案の一実施例を示す食材切り入れ容器の平面図である。
【図２】本考案の一実施例を示す食材切り入れ容器の斜面図である。
【図３】本考案の一実施例を示す専用ヘラの平面図である。
【符号の説明】
【０００９】
１、食材切り入れ容器
２、食材切り入れ容器の持つときの指入れ及び器具かけの穴
３、食材の水切り穴
４、専用のヘラ
５、ゴムの水切り
６、専用ヘラの持つときの指入れ及び器具かけの穴
【図１】
0003154015.tif 000003
【図２】
0003154015.tif 000004
【図３】
0003154015.tif 000005
【手続補正書】
【提出日】平成20年12月17日(2008.12.17)
【手続補正１】
【補正対象書類名】実用新案登録請求の範囲
【補正対象項目名】全文
【補正方法】変更
【補正の内容】
【実用新案登録請求の範囲】
【請求項１】
食材切り入れ容器に、まな板等で切った食材を、プラスチックとゴム製の専用ヘラでスライドさせて、移し変えると同時に水切りも出来、直接調理器具に入れることを目的とし、又専用ヘラでまな板の水切りをする事が出来る事を特徴とする「食材切り入れ容器」
【手続補正２】
【補正対象書類名】明細書
【補正対象項目名】０００９
【補正方法】変更
【補正の内容】
【０００９】
２、食材の切り入れ容器の持つ時の指入れ及び器具かけの穴
３、食材の水切り穴
５、ゴムの水切り
６、専用ヘラの持つ時の指入れ及び器具かけの穴
【手続補正３】
【補正対象書類名】図面
【補正対象項目名】全図
【補正方法】変更
【補正の内容】
【図１】
0003154015.tif 000006
【図２】
0003154015.tif 000007
【図３】
0003154015.tif 000008
【手続補正書】
【提出日】平成21年2月20日(2009.2.20)
【手続補正１】
【補正対象書類名】実用新案登録請求の範囲
【補正対象項目名】全文
【補正方法】変更
【補正の内容】
【実用新案登録請求の範囲】
【請求項１】
プラスチック製の食材切り入れ容器１に、プラスチックとゴム製の専用ヘラ４のゴム製の専用ヘラ５の部分で、まな板等で切った食材を、水切り加工した食材切り入れ容器１の上で集めて、移し変えると同時に、水切りも出来、直接調理器具に入れることを目的とし、又専用ヘラ４でまな板の水切りをする事が出来る事を特徴とする「食材切り入れ容器」
【手続補正書】
【提出日】平成21年5月25日(2009.5.25)
【手続補正１】
【補正対象書類名】実用新案登録請求の範囲
【補正対象項目名】全文
【補正方法】変更
【補正の内容】
【実用新案登録請求の範囲】
【請求項１】
底に食材の水切りが出来る穴があけてある食材水切り容器に食材を入れ、切った食材を集めやすくするためのプラスチック製のヘラに、その先にアクリル製の軟らかい1センチ程を継ぎ足し、それをスライドさせて、直接食材を調理容器に水切りと同時に移し替える事を目的とし、また同様のヘラに、食材を集めたり又スライドさせたりして、まな板の水切りをする事が出来る事を特徴とする「食材水切り容器」及び「食材を集めたりスライドさせたりするヘラ」
【手続補正２】
【補正対象書類名】明細書
【補正対象項目名】０００５
【補正方法】変更
【補正の内容】
【０００５】１．プラスティック製の籠状のものと、食材を集めたり又スライドさせたりするヘラとを素材とする。２．その素材をもとに、集めた食材を受け入れる容器と、食材をあつめたりスライドさせたりするヘラで構成された「食材切り入れ容器」と「食材をあつめたりスライドさせてりするヘラ」とする。３．まな板で切った食材を、「食材をあつめたりスライドさせてりするヘラ」で「食材水切り容器」に移し替え、直接調理器具にに入れることが出来る。請求項1記載のヘラ及び容器は、「食材水切り容器」
【手続補正３】
【補正対象書類名】明細書
【補正対象項目名】０００６
【補正方法】変更
【補正の内容】
【０００６】１．食材を早く調理器具に入れることが出来る。２．食材の匂いが手に付かない。３．包丁ですくう場合は、手を切る場合がある。４．一度に多くすくう事が出来る。５．まな板の水を、「食材を集めたりスライドさせたりするヘラ」でスライドさせるので、衛生的である。６．「食材水切り容器」の底には、食材の水切りが出来る穴があけてある。７．その他、必要とする場合は、この容器を活用することは出来る。
【手続補正４】
【補正対象書類名】明細書
【補正対象項目名】０００７
【補正方法】変更
【補正の内容】
【０００７】  本考案の「食材水切り容器」をしようする場合は、「食材をあつめたりスライドさせたりするヘラ」で纏め、調理容器に移す。更に「食材を集めたりスライドさせたりするヘラ」でまな板の水切りが出来る。
【手続補正５】
【補正対象書類名】明細書
【補正対象項目名】０００８
【補正方法】変更
【補正の内容】
【０００８】
【図１】本考案の一実例を示す食材水切り容器の平面図である。
【図２】本考案の一実例を示す食材水切り容器の斜面図である。
【図３】本考案の一実例を示す食材を集めたりスライドさせたりするヘラの平面図である。
【手続補正６】
【補正対象書類名】明細書
【補正対象項目名】０００９
【補正方法】変更
【補正の内容】
【０００９】２  食材水切り容器を持つ時の指入れ及び器具かけの穴３  食材の水切り穴４  食材を集めたりスライドさせたりするヘラの水切り６  食材を集めたりスライドさせたりするヘラの持つ時の指入れ及び器具かけの穴
【手続補正７】
【補正対象書類名】図面
【補正対象項目名】全図
【補正方法】変更
【補正の内容】
【図１】
0003154015.tif 000009
【図２】
0003154015.tif 000010
【図３】
0003154015.tif 000011
【手続補正書】
【提出日】平成21年7月14日(2009.7.14)
【手続補正１】
【補正対象書類名】実用新案登録請求の範囲
【補正対象項目名】全文
【補正方法】変更
【補正の内容】
【実用新案登録請求の範囲】
【請求項１】
底に食材の水切りが出来る穴があけてある食材水切り容器に食材を入れ、切った食材を集めやすくするためのプラスチック製のヘラに、その先にアクリル製の軟らかい1センチ程を継ぎ足し、それをスライドさせて、直接食材を調理容器に水切りと同時に移し替える事を目的とし、また同様のヘラに、食材を集めたり又スライドさせたりして、まな板の水切りをする事が出来る事を特徴とする、ヘラと容器とにより構成された食材水切り入れ容器。